(57)【特許請求の範囲】
【請求項１】
前面基板の内面に透明電極層と金属電極層とからなる電極を有し、前記前面基板と放電空間を介して対向配置された背面基板の内面に蛍光体層を有し、前記背面基板の内面に前記放電空間を区画する隔壁を設けたプラズマディスプレイパネルにおいて、
前記金属電極層の表示面側に光吸収部を設けると共に前記金属電極層の背面部に光反射部を設け、前記隔壁は前記光反射部へ導かれる前記蛍光体層からの光を遮らないように設置されていることを特徴とするプラズマディスプレイパネル。
【請求項２】
前記隔壁は光反射性を有することを特徴とする請求項１に記載のプラズマディスプレイパネル。
【請求項３】
前記隔壁は前記金属電極層が延びる方向と交差する方向に帯状に形成されていることを特徴とする請求項１又は２に記載のプラズマディスプレイパネル。
【請求項４】
前記背面基板と前記蛍光体層の間に光反射部材としてのアドレス電極を設けたことを特徴とする請求項１乃至３いずれか１に記載のプラズマディスプレイパネル。
【発明の詳細な説明】
【０００１】
【産業上の利用分野】
本発明は、プラズマディスプレイパネルに関し、特に表示面側の基板の電極の構造に特徴を有するものである。
【０００２】
【従来の技術】
カラープラズマディスプレイパネルは、ＴＦＴ型液晶表示素子のように能動素子を設ける必要がなく、自発光タイプで広視野角、高速応答のため表示品質が良く、また製造プロセスが簡単なために大画面化に適していることや、ＡＣ駆動型面放電方式の採用により高輝度化、長寿命化が可能となり、ＣＲＴや液晶に続くディスプレイパネルデバイスとして大いに期待させている表示素子である。
【０００３】
この表示素子の一つであるプラズマディスプレイパネルの内部構造を、ＡＣ駆動型面放電方式を例にして図３を用いて以下に説明する。
【０００４】
図３は、ＡＣ駆動型面放電方式のプラズマディスプレイパネル（以下ＰＤＰと呼ぶ）の一部分の断面図である。
【０００５】
表示面側の前面ガラス部１３において、前面ガラス基板１上には透明導電膜からなる透明電極２ａ、２ｂと透明導電膜の導電性を補うための幅の狭い金属膜からなるバス電極３、３とで構成されるサステイン電極対４、４が形成され、さらに、サステイン電極対４、４上に誘電体層６、ＭｇＯ層７が設けられている。バス電極３は、クロム−銅−クロムの三層構造をした薄膜電極で構成している。このクロム層は反射率が低く、その表面は光吸収部（黒色）となっており、ＰＤＰの表示面においては外来光の反射を防止し、画面のコントラストを向上させている。
【０００６】
一方、前面ガラス部１３と対向する背面ガラス部１４は次に示すように構成されている。即ち、背面ガラス部１４において、背面ガラス基板９上には、アドレス電極１０を設け、前記各アドレス電極上に蛍光体１１が形成されている。また、前面ガラス基板１と背面ガラス基板９の間隔を一定に保ち、放電空間を形成する目的で隔壁（リブ）（図示せず）が前記アドレス電極間に設けられている。
【０００７】
【発明が解決しようとする課題】
さて、ＰＤＰを大画面化すると、電極長が長くなり、透明電極のラインインピーダンスが増大し、細幅のバス電極３が断線し易くなる等の問題が発生する。そこで、バス電極の幅を太くすることが考えられるが、バス電極３の幅を太くすると、開口部８の面積が小さくなり、発光体層１１からの光がバス電極３により遮断、吸収されてしまう割合が大きくなり発光効率が低下するという問題点が生じる。
【０００８】
本発明は、上述の問題に着目してなされたもので、ＰＤＰの信頼性を高めて発光効率を向上させることを目的としている。
【０００９】
【課題を解決するための手段】
請求項１の発明は、前面基板の内面に透明電極層と金属電極層とからなる電極を有し、前面基板と放電空間を介して対向配置された背面基板の内面に蛍光体層を有し、背面基板の内面に放電空間を区画する隔壁を設けたプラズマディスプレイパネルにおいて、金属電極層の表示面側に光吸収部を設けると共に金属電極層の背面部に光反射部を設け、隔壁は光反射部へ導かれる蛍光体層からの光を遮らないように設置されていることを特徴とする。
【００１０】
【作用】
ＰＤＰに用いられる前面ガラス基板上に配置されたバス電極において、表示面側に光吸収部を設け、背面側に光反射部を設けているため、表示面側では反射光を吸収し画面のコントラストを保持し、背面側では蛍光体からの光が前記バス電極で吸収されることがなく反射されて、開口部から放射されるようになるので、蛍光体層からの光が無駄なく表示に利用され、発光効率を向上させることが可能である。
【００１１】
【実施例】
以下に本発明の実施例を図１及び図２に基づいて説明する。図１は、本発明におけるＰＤＰ内部の断面図で、図２は斜視図を表している。また、従来例と同等の部分には同一の符号を付してある。
【００１２】
ＰＤＰは、放電空間３０を介して対向配置された一対の基板１、９の表示面側の前面ガラス基板１の内面に透明導電膜からなる透明電極２ａ，２ｂと、透明導電膜の導電性を補うための金属膜からなるバス電極１５とで構成されるサステイン電極対１６、１６、サステイン電極１６を覆う誘電体層６及び誘電体膜を覆うＭｇＯ層７が形成され、背面側の背面ガラス基板９上にサステイン電極対１６、１６と面交する方向に配置されたアドレス電極１０、赤色（Ｒ）、緑色（Ｇ）、青色（Ｂ）の３原色の蛍光体１１、及び放電空間３０を区画する帯状の隔壁（リブ）１２が設けられている。放電空間３０には、ネオンにキセノンを混合した放電ガスが封入されている。
【００１３】
本実施例のＰＤＰにおいて、バス電極１５は、クロム（Ｃｒ）／アルミニウム（Ａｌ）の２層金属膜からなり、例えば、クロム、アルミニウムを順にスパッタリング又は蒸着し、フォトリソグラフィ法を用いてパターンニングすることにより形成される。
【００１４】
以上のように構成されたＰＤＰで、バス電極１５の表示面側の面（クロム層の表面）は透明電極との干渉で反射率が低く黒色表面（光吸収部）となることから、外来光の反射を防止し、コントラストを向上でき、また、バス電極１５の背面ガラス基板９側の面（アルミニウム層の表面）は、反射率が高く鏡面（光反射部）となることから、蛍光体１１で発光した光の内のバス電極１５に向う光は、アルミニウム層の表面で反射され、表示光として利用可能となる。
【００１５】
ここで、リブ１２を白色顔料を含むガラスペーストの印刷、焼成により形成して光反射性とし、アドレス電極１０を幅広のアルミニウム薄膜で形成し、光反射部材とすることにより、バス電極１５の裏面（アルミニウム層の表面）で反射した光を開口部８に向う表示光として、更に有効に利用できる。
【００１６】
尚、上述の実施例において、バス電極にクロム層の代わりにニッケル（Ｎｉ）層を用いても良いし、アルミニウム（Ａｌ）の代わりに銀（Ａｇ）及びＡｌ合金やＡｇ合金に因っても同様の効果が得られる。
【００１７】
また、上述の実施例では、蛍光体を背面ガラス基板に設けた反射型と呼称されるＰＤＰに適用した例を説明してきたが、表示面側のガラス基板に蛍光体を有する透過型のＰＤＰ又はＤＣ駆動型ＰＤＰについても同様に適用される。
【００１８】
【発明の効果】
本発明は、前面ガラス基板上に配置されたバス電極の表示面側に光吸収部、及び背面側に光反射部を有することにより、外来光の反射を防止すると共に蛍光体からの光はバス電極の裏面で反射され、効率良く開口部から出射される。この結果、ＰＤＰの発光効率が向上させることができる。
【図面の簡単な説明】
【図１】図１は、本発明におけるＰＤＰ内部の断面図である。
【図２】図２は、ＡＣ駆動型面放電方式のＰＤＰの一部の分解傾斜図である。
【図３】図３は、従来例における断面図である。
【符号の説明】
１・・・・・・前面ガラス基板
２ａ、２ｂ・・透明電極
３、１５・・・バス電極
４、１６・・・サステイン電極
６・・・・・・誘電体層
７・・・・・・ＭｇＯ層
８・・・・・・開口部
９・・・・・・背面ガラス基板
１０・・・・・アドレス電極
１１・・・・・蛍光体
１２・・・・・リブ
【図１】
0003647498.tif 000002
【図２】
0003647498.tif 000003
【図３】
0003647498.tif 000004